(57)【特許請求の範囲】
【請求項１】
所定の著作権保護処理が施された番組の映像信号が記録された情報記録媒体を再生し、再生された番組の映像信号を出力する映像出力手段を有する映像コンテンツ再生装置であって、
前記番組は１つ以上の再生区間から構成され、
前記情報記録媒体には、前記映像信号として、標準画質映像用の映像信号とハイビジョン画質映像用の映像信号とが混在して記録され、
前記情報記録媒体には、再生区間毎に標準画質映像用の映像信号又はハイビジョン画質映像用の映像信号のいずれかが記録され、
当該映像コンテンツ再生装置に接続された映像表示装置を認証し、この認証結果に基づいて、前記著作権保護処理が施された番組の映像信号を再生区間毎に、デジタル映像信号として出力するか、アナログ映像信号に変換して出力するかを判別する表示装置認証判定部と、
前記情報記録媒体に記録された映像信号の内、前記番組の再生単位である再生区間毎に前記著作権保護処理によってアナログ映像信号に変換して出力することに制限が課せられているか否かを判定するアナログ出力判定部と、
前記表示装置認証判定部と前記アナログ出力判定部の判定結果に基づき、番組を再生する前に、当該再生区間の映像信号の少なくとも一部について、前記映像表示装置が前記映像信号をアナログ映像信号に変換する必要がある装置であると判別された場合、前記制限が課せられていると判定された再生区間に対して、当該再生区間の映像信号を、解像度を下げたアナログ映像信号に変換してから前記映像表示装置に出力するように、前記映像出力手段を制御するシステム制御部と
を有することを特徴とする映像コンテンツ再生装置。
【請求項２】
前記アナログ出力判定部による判定結果を表示する表示部、又は、前記アナログ出力判定部による判定結果を表示させるための映像信号を前記映像表示装置に出力するための警告画面生成部の少なくともいずれか一方をさらに有し、
前記システム制御部は、前記映像表示装置が前記再生区間の映像信号をアナログ映像信号に変換する必要がある装置であると番組を再生する前に判別された場合、当該番組の再生区間に前記制限が課せられていると判定されると、当該再生区間の再生前に前記判定結果を表示させるための映像信号を前記表示部又は前記映像表示装置に出力するように、前記警告画面生成部を制御する
ことを特徴とする請求項１に記載の映像コンテンツ再生装置。
【請求項３】
所定の著作権保護処理が施された番組の映像信号が記録された情報記録媒体を再生し、再生された番組の映像信号を出力する映像コンテンツ再生方法であって、
前記番組は１つ以上の再生区間から構成され、
前記情報記録媒体には、前記映像信号として、標準画質映像用の映像信号とハイビジョン画質映像用の映像信号とが混在して記録され、
前記情報記録媒体には、再生区間毎に標準画質映像用の映像信号又はハイビジョン画質映像用の映像信号のいずれかが記録され、
当該映像コンテンツ再生装置に接続された映像表示装置を認証し、この認証結果に基づいて、前記著作権保護処理が施された番組の映像信号を再生区間毎に、デジタル映像信号として出力するか、アナログ映像信号に変換して出力するかを判別する表示装置判別ステップと、
前記情報記録媒体に記録された映像信号の内、前記番組の再生単位である再生区間毎に前記著作権保護処理によってアナログ映像信号に変換して出力することに制限が課せられているか否かを判定するアナログ出力判定ステップと、
前記表示装置判別ステップと前記アナログ出力判定ステップでの判定結果に基づき、番組を再生する前に、当該再生区間の映像信号の少なくとも一部について、前記映像表示装置が前記映像コンテンツの映像信号をアナログ映像信号に変換する必要がある装置であると判別された場合、前記制限が課せられていると判定された再生区間に対して、当該再生区間の映像信号を、解像度を下げたアナログ映像信号に変換してから前記映像表示装置に出力するように制御する映像出力制御ステップと
を有することを特徴とする映像コンテンツ再生方法。
【請求項４】
前記映像表示装置が前記再生区間の映像信号をアナログ映像信号に変換する必要がある装置であると番組を再生する前に判別された場合、当該番組の再生区間に前記制限が課せられていると判定されると、当該再生区間の再生前に前記判定結果を表示させるための映像信号を出力する警告画面生成ステップを有することを特徴とする請求項３に記載の映像コンテンツ再生方法。
【発明の詳細な説明】
【技術分野】
【０００１】
本発明は、光ディスク等の情報記録媒体に記録された映像コンテンツを再生する映像コンテンツ再生装置及び映像コンテンツ再生方法に関し、特に、高解像度（ＨＤ）映像コンテンツと標準解像度（ＳＤ）映像コンテンツとが符号化及び圧縮されたストリーム情報として記録された光ディスク等の情報記録媒体を再生する映像コンテンツ再生装置及び映像コンテンツ再生方法に関する。
【背景技術】
【０００２】
光ディスク等の情報記録媒体に記録された動画像の映像コンテンツの再生装置としては、例えば、光ディスクの規格であるＤＶＤ（Ｄｉｇｉｔａｌ  Ｖｅｒｓａｔｉｌｅ  Ｄｉｓｋ）規格に準拠した再生装置が知られている。そのような映像コンテンツには、例えば、デジタル映像信号が、符号化及び圧縮されたストリーム情報の形態で記録される。ＤＶＤ規格では、ＮＴＳＣ等のＳＤ画像データを記録及び再生することができる。一方、次世代の光ディスクの規格であるＢＤ（Ｂｌｕ−ｒａｙ  Ｄｉｓｃ）規格、ＨＤ−ＤＶＤ規格等では、ＳＤ画像データに加え、ＨＤ画像データを記録及び再生することができる。【０００３】
ＨＤ映像フォーマットは、ハイビジョン放送（アナログ放送）と同等の高解像度映像フォーマットである。従来のＳＤ映像フォーマットの解像度は、画素数で７２０×４８０ドット又は７２０×５７６ドット等であり、ＨＤ映像フォーマットの解像度は、画素数で１９２０×１０８０ドット又は１９２０×１１５２ドット等である。【０００４】
次世代の光ディスクには、ＨＤ映像コンテンツとＳＤ映像コンテンツを混在させて記録することができる。その場合には、光ディスクに記録された各タイトルの映像コンテンツ毎（例えば、各番組の再生区間毎）に、ストリーム情報の属性情報を予め記録しておき、映像コンテンツ再生装置にその光ディスクが挿入された時に、全てのタイトルの映像コンテンツの属性情報をユーザーに提示することができる映像コンテンツ再生装置が知られている（例えば、特許文献１参照）。【０００５】
また、ＨＤ映像とＳＤ映像とを混在させて記録した光ディスクの再生装置については、以下の特許文献２に記載されている。特許文献２には、ＨＤ映像に対応した再生装置、及びＳＤ映像のみに対応した再生装置の両方において記録コンテンツの再生が可能となるよう、光ディスクにＨＤ映像とＳＤ映像との両方のフォーマットによりコンテンツを記録し、再生装置において、制御情報コマンドを介して再生制御装置自身がＨＤ映像とＳＤ映像のいずれを対象とするものであるかを判定し、この判定結果に基づいてＨＤ映像及びＳＤ映像のいずれを再生するかを切り替える技術が記載されている。【０００６】
著作権保護処理（暗号化処理）としては、映像コンテンツ再生装置が接続された映像表示装置に対して、光ディスクに記録された映像コンテンツの映像データをデジタルデータで転送できることを確認（認証）した後、映像データを暗号化して転送する規格であるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）、及び、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が知られている。特に、ＨＤ映像フォーマットで記録されたデジタル映像コンテンツについては、高解像度の複製品の製造を防止するために上記の著作権保護処理の導入が予定されている。【０００７】
また、光ディスクの再生装置には、ＨＤ映像コンテンツの著作権の保護を強化するため、出力の著作権保護処理（暗号化処理）が容易であるデジタル出力端子（ＨＤＭＩ又はＤＶＩ等）のみに映像信号を出力できる構成であること、すなわち、映像コンテンツ再生装置から著作権の保護が難しいＨＤアナログ映像信号を出力しない構成にすることが将来的に義務付けられている。また、このような義務の前段階として、ＨＤデジタルデータをＳＤデジタルデータにダウンコンバートさせ、その後アナログデータとして出力させる構成にすることも検討されている。【０００８】
【特許文献１】特開２００２−１７０３６１号公報（第２−３頁、図２）
【特許文献２】特開２００４−８０１９６号公報（第４−７頁、図４）
【発明の開示】
【発明が解決しようとする課題】
【０００９】
しかしながら、映像コンテンツ再生装置が、アナログ映像入力端子（ＨＤ又はＳＤ）のみが備えられた映像表示装置に接続された場合には、以下の（Ａ）〜（Ｄ）のような事態が発生する可能性がある。
（Ａ）映像コンテンツ再生装置から、デジタル映像コンテンツをアナログ信号に変換して出力することが全面的に禁止された場合には、アナログ信号に基づく映像しか表示できない映像表示装置では、アナログ信号が入力されないので、何も表示されない。【００１０】
（Ｂ）映像コンテンツ再生装置の機能が、ＨＤデジタル映像コンテンツをＳＤアナログ信号に変換して出力することに制限された場合には、映像表示装置では、ダウンコンバートされたＳＤアナログデータによる映像しか表示できない。【００１１】
（Ｃ）デジタル映像コンテンツをアナログ映像信号に変換して出力することが禁止された映像コンテンツ再生装置によって、ＨＤ映像コンテンツとＳＤ映像コンテンツを混在させて記録した光ディスクを再生した場合には、映像表示装置において、突然何も表示しなくなったり、突然ＳＤ映像コンテンツが表示されたりする。【００１２】
（Ｄ）ＨＤデジタル映像コンテンツをＳＤにダウンコンバートしてＳＤアナログ映像信号に変換して出力する映像コンテンツ再生装置によって、ＨＤ映像コンテンツとＳＤ映像コンテンツを混在させて記録した光ディスクを再生した場合には、映像表示装置において、ＨＤ映像が表示されているときに、突然ＳＤ映像が表示される、という事態が発生する。【００１３】
映像コンテンツ再生装置の使用者は、上記した各事態が発生した場合には、映像コンテンツ再生装置の故障と誤認識する可能性があり、各事態に対する対処方法が不明で不安になるという問題がある。【００１４】
また、特許文献１には、ＨＤ映像コンテンツとＳＤ映像コンテンツとが混在するように記録された光ディスクを単純に記録及び再生する光ディスク映像記録再生装置が記載される。しかし、特許文献１には、ＨＤ映像コンテンツとＳＤ映像コンテンツとが混在して記録された光ディスクの再生時における上記各事態に対して、映像コンテンツ再生装置の使用者に対する、故障との誤認識や不安を与えないようにするための対策は開示されていない。【００１５】
また、特許文献２には、ＨＤ映像コンテンツとＳＤ映像コンテンツの両方を記録した光ディスクから、ＨＤ映像コンテンツとＳＤ映像コンテンツを切り替えて再生できる再生装置が記載される。しかし、特許文献２には、接続された映像表示装置の映像入力端子がアナログ入力のみである場合や、光ディスク映像記録再生装置のアナログ出力端子からの出力であるＨＤデータをダウンコンバートして標準解像度として出力する場合や、アナログ出力が禁止される場合については開示されていない。【００１６】
さらに、特許文献２では、１つの映像コンテンツに対して、ＳＤ映像コンテンツとＨＤ映像コンテンツの両方の映像コンテンツを光ディスクに記録する必要があり、１つの映像コンテンツに対して非常に多くの記憶容量が必要であり、光ディスクの利用効率及びデータの利用効率が悪い。【００１７】
本発明は、上記従来技術の課題を解決するためになされたものであり、その目的は、接続された映像表示装置によって正常に表示できない映像コンテンツを再生するときに、ダウンコンバート再生又は使用者に対する通知を実行することによって、不快感や不安感を使用者に与えないことができる映像コンテンツ再生装置及び映像コンテンツ再生方法を提供することである。
【課題を解決するための手段】
【００１８】
本発明の映像コンテンツ再生装置の一形態は、所定の著作権保護処理が施された映像信号が記録された情報記録媒体を再生し、再生された映像信号を映像表示装置に出力する映像出力手段を有する装置であって、前記映像表示装置を認証し、この認証結果に基づいて、前記著作権保護処理が施された映像信号を、デジタル映像信号として出力するか、アナログ映像信号に変換して出力するかを判別する表示装置認証判定部と、前記情報記録媒体に記録された映像信号の内、前記著作権保護処理によってアナログ映像信号に変換して出力することに制限が課せられている再生区間を判定するアナログ出力判定部と、前記制限が課せられていると判定された再生区間を再生するときに、解像度を下げる変換を施してから映像信号を出力するように、前記映像出力手段を制御する制御部とを有することを特徴としている。【００１９】
また、上記形態において、アナログ映像信号にコピーを禁止又はコピー回数を制限するためのコピー制御信号を重畳するコピー制御信号重畳部を有し、コピー制御信号重畳部は、制限が課せられていると判定された再生区間を再生するときに、アナログ映像信号にコピー制御信号を重畳するようにしてもよい。【００２０】
また、本発明の映像コンテンツ再生装置の他の形態は、所定の著作権保護処理が施された映像信号が記録された情報記録媒体を再生し、再生された映像信号を映像表示装置に出力する映像出力手段を有する装置であって、前記映像表示装置を認証し、この認証結果に基づいて、前記著作権保護処理が施された映像信号を、デジタル映像信号として出力するか、アナログ映像信号に変換して出力するかを判別する表示装置認証判定部と、前記情報記録媒体に記録された映像信号の内、前記著作権保護処理によってアナログ映像信号に変換して出力することに制限が課せられている再生区間を判定するアナログ出力判定部とを有し、前記アナログ出力判定部による判定結果を表示する表示部、及び、前記アナログ出力判定部による判定結果を表示させるための映像信号を前記映像表示装置に出力するための警告画面生成部の少なくともいずれか一方をさらに有することを特徴としている。【００２１】
また、上記形態において、アナログ映像信号にコピーを禁止又はコピー回数を制限するためのコピー制御信号を重畳するコピー制御信号重畳部を有し、コピー制御信号重畳部は、制限が課せられていると判定された再生区間を再生するときに、アナログ映像信号にコピー制御信号を重畳するようにしてもよい。さらに、映像出力手段は、前記制限が課せられていると判定された再生区間を含む場合、当該再生区間をスキップ又は早送りして再生するようにしてもよい。【００２２】
また、本発明の映像コンテンツ再生装置のさらに他の形態は、所定の著作権保護処理が施された映像信号が記録された情報記録媒体を再生し、再生された映像信号を映像表示装置に出力する映像出力手段を有する装置であって、前記映像表示装置を認証し、この認証結果に基づいて、前記著作権保護処理が施された映像信号を、デジタル映像信号として出力するか、アナログ映像信号に変換して出力するかを判別する表示装置認証判定部と、前記情報記録媒体に記録された映像信号の内、前記著作権保護処理によってアナログ映像信号に変換して出力することに制限が課せられている再生区間を判定するアナログ出力判定部と、前記アナログ出力判定部による判定結果に基づいて、再生対象のタイトルの映像区間が、予め情報記録媒体に記録されている映像フォーマットのまま再生することができないことを警告するための映像信号を前記映像表示装置に出力するための警告画面生成部とを有することを特徴としている。【００２３】
また、上記形態において、アナログ映像信号にコピーを禁止又はコピー回数を制限するためのコピー制御信号を重畳するコピー制御信号重畳部を有し、コピー制御信号重畳部は、制限が課せられていると判定された再生区間を再生するときに、アナログ映像信号にコピー制御信号を重畳するようにしてもよい。さらに、映像出力手段は、前記制限が課せられていると判定された再生区間を含む場合、当該再生区間をスキップ又は早送りして再生するようにしてもよい。
【発明の効果】
【００２４】
本発明の映像コンテンツ再生装置及び映像コンテンツ再生方法によれば、情報記録媒体に記録された各タイトルの映像コンテンツ毎に、接続された映像表示装置における表示可能性を判断し、例えば、解像度を下げるダウンコンバートを施して出力する処理、表示不可能区間のスキップ若しくは早送り処理、又は、異常表示に関するメッセージ表示処理などの、各種処理を実行することによって、故障等の誤認識及び不安感を使用者に与えることを回避することができるという効果を得ることができる。
【図面の簡単な説明】
【００２５】
【図１】本発明に係る実施の形態１の映像コンテンツ再生装置の概略のシステム構成を示すブロック図である。
【図２】図１に示した光ディスクの内部ファイルデータ構造を示す図である。
【図３】図１に示した光ディスクの論理ファイル構造を示す図である。
【図４】図３に示したストリーム情報ファイルの内部データ構造を示すストリーム構成図である。
【図５】図２及び図３に示したアドレス管理ファイルのシンタックスを示す図である。
【図６】図２及び図３に示した再生制御情報ファイルのシンタックスを示す図である。
【図７】図２及び図３に示した再生制御情報ファイルで管理される番組データ構成を示す概念図である。
【図８】（ａ）及び（ｂ）は、図１に示された映像コンテンツ再生装置でアナログ映像出力が２通りに制限された場合に、接続された映像表示装置における表示形態を示す図であり、同図（ａ）がアナログ映像出力端子にＳＤ映像の出力が許可され、ＨＤ映像の出力が許可されないＣａｓｅ１を示し、同図（ｂ）がアナログ映像出力端子に、一切の映像の出力が禁止されたＣａｓｅ２を示す。
【図９】図１の光ディスクに記録されたＨＤ映像コンテンツの１フィールド分のアナログ映像信号の波形にコピー制御信号を重畳した場合を示す波形図である。
【図１０】図１に示した表示装置認証判定部が映像表示装置の表示機能を検出するために機器認証する方法の一例を示す図である。
【図１１】図８（ａ）の出力端子がアナログ映像用のＤ３端子である場合に、映像コンテンツのアナログ映像信号による出力制限箇所を再生する前に表示される警告画面の一例を示す図である。
【図１２】（ａ）乃至（ｃ）は、ＳＤ映像コンテンツとＨＤ映像コンテンツが混在するプレイリストで再生する場合の各再生区間の再生前の表示画面の一例を示す図であり、同図（ａ）が各再生区間の記録解像度を示し、同図（ｂ）がアナログ映像出力端子にＳＤ映像までが許可されたＣａｓｅ１を示し、同図（ｃ）がアナログ映像出力端子に映像出力が禁止されたＣａｓｅ２を示す。
【図１３】図１に示された映像コンテンツ再生装置の動作を示すフローチャートである。
【図１４】本発明に係る実施の形態２の映像コンテンツ再生装置における出力端子がアナログ映像用のＤ３端子である場合に、映像コンテンツのアナログ映像信号による出力制限箇所を再生する前に表示される警告画面の一例を示す図である。
【図１５】（ａ）乃至（ｃ）は、実施の形態２の映像コンテンツ再生装置における制限付再生モードによる再生の一例を示す図であり、同図（ａ）が各再生区間の記録解像度を示し、同図（ｂ）が制限区間をスキップして再生する（第１制限付再生モード）場合を示し、同図（ｃ）が制限区間を早送り処理して再生する（第２制限付再生モード）場合を示す。
【図１６】実施の形態２の映像コンテンツ再生装置の動作を示すフローチャートである。
【符号の説明】
【００２６】
１  映像コンテンツ再生装置、  ２  光ディスク、  ３  操作部、  ４  映像表示装置、  １１  システム制御部、  １２  再生制御情報一時記憶部、  １３  デコーダブロック、  ２１  アナログ出力判定部、  ２２  表示装置認証判定部、  ３１  再生ドライブ部、  ３２  デマルチプレクサ部、  ３３  映像デコーダ部、  ３４  音声デコーダ部、  ３５  警告画面（ＯＳＤ）生成部、  ３６  映像ミキシング部、  ３７  映像信号変換部、  ３８  コピー制御信号重畳部、  ４１  ディスク内周側、  ４２  ディスク外周側、  ５１  リードイン領域、  ５２  ファイル管理情報領域、  ５３  ユーザーデータ領域、  ５４  リードアウト領域、  ６１  再生制御情報領域、  ６２  ストリーム情報領域、  ７１  再生制御情報ファイル、  ７２  アドレス管理ファイル、  ８１  ストリーム情報ファイル、  １００  ルートディレクトリ、  １０１  ディスクディレクトリ、  １０２  アドレス管理ディレクトリ、  １０３  ストリーム管理ディレクトリ、  １３０  パケット、  １３１  ヘッダ情報、  １３２  ＩＤ、  １４１  “Ｓｔａｒｔ＿ＰＴＳ”、  １４２  “Ｅｎｄ＿ＰＴＳ”、  １４３  “ｎｕｍ＿ｏｆ＿ｐｒｏｇｒａｍ”、  １４４  “ＳＰＮ＿Ｐｒｏｇｒａｍ＿Ｓｔａｒｔ”、  １４５  “Ｖｉｄｅｏ＿Ｐａｃｋｅｔ＿ＩＤ”、  １４６  “Ａｕｄｉｏ＿Ｐａｃｋｅｔ＿ＩＤ”、  １４７  “Ｓｔｒｅａｍ＿Ｐａｃｋｅｔ＿ＩＤ”、  １４８  “Ｆｏｒｍａｔ＿Ｔｙｐｅ”、  １４９  “ＣｏｐｙＲｉｇｈｔ＿Ｉｎｆｏ”、  １５０  “Ｃｏｄｅｃ＿Ｔｙｐｅ”、  １５１  “ｎｕｍ＿ｏｆ＿Ｅｎｔｒｙ”、  １５２  “ＰＴＳ＿ＧＯＰ＿Ｓｔａｒｔ”、  １５３  “ＳＰＮ＿ＧＯＰ＿Ｓｔａｒｔ”、  １６１  “ｎｕｍ＿ｏｆ＿ＰｌａｙＬｉｓｔ”、  １６２  “ｎｕｍ＿ｏｆ＿Ｐｌａｙ＿Ｉｎｔｅｒｖａｌ”、  １６３  “Ｓｔｒｅａｍ＿ｎａｍｅ”、  １６４  “Ｓｔａｒｔ＿Ｔｉｍｅ”、  １６５  “Ｅｎｄ＿Ｔｉｍｅ”、  １８１  コピー制御信号、  １９１  「通常再生」ボタン、  １９２  「再生中止」ボタン、  １９３  デジタル映像出力状態表示領域、  １９４  プレイリスト構成情報表示領域、  ２０１  「制限付再生」ボタン、  ２１１  第１制限付再生モード、  ２１２  第２制限付再生モード。
【発明を実施するための最良の形態】
【００２７】
実施の形態１．
実施の形態１においては、映像コンテンツ再生装置に接続された映像表示装置が、映像コンテンツ再生装置に採用される所定の著作権保護処理が実施された高解像度（ＨＤ）デジタル映像信号の入力端子を備えていない場合（例えば、アナログ映像入力端子しか備えていない場合等）であって、情報記録媒体である光ディスクでは１個以上のタイトルの映像コンテンツ（すなわち、１つのタイトルが付された１つの再生区間）内に著作権保護処理が指定されたＨＤ映像コンテンツが含まれる場合を説明する。実施の形態１の映像コンテンツ再生装置は、例えば、著作権保護処理が指定されたＨＤ映像コンテンツの再生区間を再生する前に、映像コンテンツ再生装置の使用者に対して、「出力される映像信号は制限されており、高解像度コンテンツであっても標準解像度で表示される」旨のメッセージ（警告画面）を表示するか、又は、「出力される映像信号は制限されており、映像は全く表示されない」旨のメッセージ（警告画面）を表示する。なお、上記した「出力される映像信号の制限」とは、「ＨＤ映像フォーマットの映像コンテンツ部分をＳＤ映像フォーマットに変換して出力」したり、「ＨＤ映像フォーマットの映像コンテンツ部分を出力しない（すなわち、非表示とする）」等のように、光ディスクに記録される高解像度デジタル映像コンテンツをそのままの高解像度映像信号でデジタル出力又はアナログ出力しないことを示す。【００２８】
図１は、本発明に係る実施の形態１の映像コンテンツ再生装置１の概略のシステム構成を示すブロック図である。図１において、映像コンテンツ再生装置１は、光ディスク２からデジタル映像コンテンツを再生して、その映像信号を映像表示装置４に出力する光ディスク映像コンテンツ再生装置である。映像コンテンツ再生装置１は、操作部３によって要求された命令の内容を解釈し、デコーダブロック１３を制御することで、光ディスク２から任意のストリーム情報を再生することが可能である。例えば、映像コンテンツ再生装置１の使用者が、操作部３を用いて、光ディスク２の再生タイトルの一覧から、任意の映像コンテンツを再生するように指示（命令）を入力した場合には、その指示は、システム制御部１１へ伝えられ、システム制御部１１からデコーダブロック１３に再生の指令が与えられる。再生の指令を受けたデコーダブロック１３は、光ディスク２中の指定された再生タイトルの映像コンテンツを再生する。また、映像コンテンツ再生装置１は、再生時に、所定の著作権保護処理の実施が指定されて高解像度デジタル映像信号により記録された動画像の映像コンテンツが少なくとも一部分に記録された光ディスクから、映像コンテンツの再生単位である各タイトルの映像コンテンツ（１つのタイトルが付された１つの再生区間）毎に、その映像コンテンツを再生して、指定された所定の著作権保護処理を実施してから出力することができる。また、実施の形態１では、表示装置認証判定部２２の判定結果から警告等を映像表示装置４に出力する場合を示しているが、映像コンテンツ再生装置１自体に表示部（図示せず）を設けて、その表示部に判定結果を表示させてもよい。このように、実施の形態１においては、判定結果を映像表示装置４又は図示しない表示部に出力して、使用者に現状を通知するので、異常表示状態の発生によって、故障が発生したというような誤認識を使用者に生じさせたり、各異常表示事態に対する対処方法が不明で使用者に不安感を生じさせたりする事態を回避することができる。【００２９】
光ディスク２は、デジタル化（符号化）された映像コンテンツが多重化されたストリーム情報、及び、そのストリーム情報の再生制御情報が記録される再生対象となる光学方式の記録媒体である。光ディスク２としては、例えば、１個以上のタイトルの映像コンテンツ（再生区間）内に著作権保護処理が指定されたＨＤ映像コンテンツが含まれているものが想定される。ただし、本発明の映像コンテンツ再生装置及び映像コンテンツ再生方法によって再生される情報記録媒体は、光ディスクに限定されず、著作権保護処理が指定された映像コンテンツを含む情報記録媒体であれば、光ディスク以外の情報記録媒体（例えば、半導体メモリや可搬性ハードディスク装置など）であってもよい。【００３０】
操作部３は、映像コンテンツ再生装置１の使用者による指示内容又は選択内容が入力される操作部分である。操作部３は、例えば、映像コンテンツ再生装置１のフロントパネルに配置される操作パネル、又は、映像コンテンツ再生装置１の制御信号を赤外線又は無線電波で送出可能なリモコン装置等である。【００３１】
映像表示装置４は、例えば、ＣＲＴ、液晶表示パネル又はプラズマ表示パネルを用いたテレビジョン放送受像機等の表示装置である。映像表示装置４は、映像コンテンツ再生装置１で再生されたデジタル映像コンテンツを視聴するための装置であり、再生された映像信号に基づいて画像を表示すると共に、音声デコーダ部３４から出力された音声信号に基づく音を出力する。実施の形態１の映像表示装置４は、上記したように映像コンテンツ再生装置１に用いられる所定の著作権保護処理が実施されたＨＤデジタル映像信号の入力端子を備えていない、例えば、アナログ映像入力端子しか備えていない映像表示装置である。なお、実施の形態１の場合とは異なるが、所定の著作権保護処理が実施されたＨＤデジタル映像信号の入力端子を備えている映像表示装置には、上記したＨＤＣＰに対応するデジタル入力端子が設けられ、その映像表示装置４と映像コンテンツ再生装置１の間で機器同士の認証が実施された後に、映像コンテンツ再生装置１からは再生された映像信号に対して所定の著作権保護処理（暗号化処理）が実施された信号が出力され、映像表示装置４で暗号化が解除されて表示される。【００３２】
システム制御部１１は、映像コンテンツ再生装置１全体を統合制御している。例えば、映像コンテンツ再生装置１の使用者が、操作部３を用いて、光ディスク２の再生タイトルから、任意の映像コンテンツを再生させる指示（命令）を入力し、その指示がシステム制御部１１へ伝えられた場合、システム制御部１１は、まず、再生制御情報一時記憶部１２に保持された再生制御情報から、任意の番組を構成する情報であるプレイリスト情報を読み出す。なお、プレイリスト情報は、１つ以上のプレイアイテムと称される再生区間から成り立っている。システム制御部１１は、続いてプレイリスト情報から、プレイアイテムにより特定された任意のプレイリストのストリーム情報のファイルが記録される光ディスク２内の物理アドレスを取得し、その物理アドレスから読み出されたストリーム情報のファイルを再生ドライブ部３１にて再生し、再生されたストリーム情報をデマルチプレクサ部３２、映像デコーダ部３３又は音声デコーダ部３４等を経由させて、映像表示装置４に出力する。【００３３】
システム制御部１１は、各再生単位の再生前に、表示装置認証判定部２２の検出結果に基づき、光ディスク２に記録されたＨＤ映像コンテンツをそのままの高解像度で出力するか又は映像信号変換部３７で解像度を標準解像度（ＳＤ）に変換して出力するかを判定する。また、システム制御部１１は、各再生単位の再生前に、アナログ出力判定部２１の検出結果に基づき、映像コンテンツをアナログ化して出力できるか否かと、アナログ化した映像コンテンツが高解像度ならば標準解像度に変換するか否かを判定する。システム制御部１１は、これらの判定結果に基づいて、ＨＤ映像コンテンツをそのままの高解像度で出力できないと判断した場合には、各警告画面の何れかを映像表示装置４に表示させることができる映像信号を生成して出力する。【００３４】
また、システム制御部１１は、表示装置認証判定部２２の検出結果がＨＤデジタル映像信号の表示が不可能で、ＨＤアナログ映像信号又は標準解像度アナログ映像信号のみが表示可能であり、アナログ出力判定部２１の検出結果が、アナログ化出力が全て制限される場合には、警告画面生成部３５から全く画面表示できない旨のメッセージ（警告画面）を生成して出力させる。また、システム制御部１１は、表示装置認証判定部２２の検出結果がＨＤデジタル映像信号の表示が不可能で、アナログ出力判定部２１の検出結果が、標準解像度にしたアナログ化出力のみ認める場合には、警告画面生成部３５からＨＤデジタル映像信号を標準解像度で画面表示する旨の警告画面を生成して出力させる。【００３５】
また、システム制御部１１は、光ディスク２に記録された各再生単位の映像コンテンツ中に、高解像度で表示できないと判定された再生単位が検出された場合には、各映像コンテンツを連続再生する場合に、その再生単位の再生区間をスキップして次の再生単位の再生区間を再生するか、その再生単位の再生区間を早送り再生するようにしても良い。【００３６】
また、システム制御部１１は、表示装置認証判定部２２の検出結果に基づき映像信号変換部３７で解像度を変換して出力すると判定され、且つ、アナログ出力判定部２１の検出結果に基づき映像コンテンツをアナログ化して出力すると判定された再生単位の映像信号については、接続された映像表示装置４に表示可能な解像度に映像フォーマットを変換すると共にアナログ化した後、後述するコピー制御信号重畳部３８で、アナログ映像信号にコピーの禁止又は所定回数のみのコピーを許可するコピー制御信号１８１（後に、図９を用いて説明する。）を重畳して出力させる。【００３７】
また、システム制御部１１は、ＨＤ映像コンテンツをそのままの高解像度で出力できない場合には、表示装置認証判定部２２の検出結果に基づく上記判定結果を、映像コンテンツ再生装置１自体に設けられた表示部（不図示）に表示させる又は映像表示装置４で表示可能な映像信号に変換して出力するようにしても良い。【００３８】
再生制御情報一時記憶部１２は、光ディスク２に記録される各ストリーム情報の再生制御情報を、システム制御部１１から素早くアクセスできるように一時的に記憶する。ここでの再生制御情報とは、光ディスク２に記録される各ストリーム情報から分離された映像ストリームの映像に関する属性情報や分離された音声ストリームの音声に関する属性情報や、ストリーム情報のアクセス単位（通常ＧＯＰ単位）で再生開始時間情報と再生開始位置情報の対応関係を示す情報である。【００３９】
デコーダブロック１３は、後述するように図１に符号３１〜３８で示された部分を含み、光ディスク２からデジタル映像コンテンツを再生して、再生した信号をデマルチプレクス、映像デコード、音声デコード、映像ミキシング、映像信号変換、及びコピー制御信号の重畳を実行し、その映像信号と音声信号を映像表示装置４に出力する。【００４０】
アナログ出力判定部２１は、光ディスク２に保持される再生制御情報中の映像ストリーム属性情報に基づき、光ディスク２の映像コンテンツの各再生単位を構成している各タイトルの映像コンテンツ（再生区間）毎に、アナログ化出力の制限の有無、すなわち、アナログ化映像の出力が制限される区間か否かを検出する。なお、ストリーム情報ファイル中にＩＣＴ（Ｉｍａｇｅ  Ｃｏｎｓｔｒａｉｎｔ  Ｔｏｋｅｎ／ＭＰＥＧ−ＴＳ規格のＤＴＣＰディスクリプタ）等のアナログ出力制限フラグが存在する場合は、このＩＣＴ等の情報をさらに用いて、再生区間毎に映像の出力制限情報を収集しても良い。【００４１】
表示装置認証判定部２２は、映像コンテンツ再生装置１と映像出力線により接続される映像表示装置４の機能を検出する。表示装置認証判定部２２は、例えば、映像コンテンツの再生単位である各タイトルの映像コンテンツ（再生区間）毎に、ＤＴＣＰ等の機器認証手順を用いて、光ディスク２内のストリーム情報をデジタル映像信号で映像表示装置４に伝送して表示可能か否かを確認する。表示装置認証判定部２２は、表示可能である場合には、さらに所定の著作権保護処理が施されたデジタル映像信号で伝送したものの保護処理を解除させて表示可能か否かを検出する。また、アナログ接続のみの映像表示装置４の場合には、表示装置認証判定部２２は、ＤＴＣＰ等の機器認証手順は通信できないため、正常に動作できないことを検出し、映像表示装置４がアナログ入力のみであることを検出する。【００４２】
なお、実施の形態１のアナログ出力判定部２１及び表示装置認証判定部２２は、システム制御部１１内のファームウェア等で構成された場合を示しているが、システム制御部１１の外部に設けても良いし、その機能を有するハードウェアを設けても良い。【００４３】
再生ドライブ部３１は、光ディスク２から映像コンテンツのストリーム情報及びその再生制御情報を読み出し、再生されたファイルのストリーム情報をデマルチプレクサ部３２に出力する。その際に再生制御情報は、再生制御情報一時記憶部１２に出力される。【００４４】
デマルチプレクサ部３２には、再生ドライブ部３１で読み出されたストリーム情報の圧縮されたファイルが入力され、映像ストリーム及び音声ストリームに分離されて、映像ストリームは映像デコーダ部３３に出力され、音声ストリームは音声デコーダ部３４に出力される。【００４５】
映像デコーダ部３３は、デマルチプレクサ部３２で分離された映像ストリーム（ＭＰＥＧ−２方式等により符号化）を、デコード処理（ＭＰＥＧ−２方式等により復号化）して、映像コンテンツのデジタル映像信号を得る。【００４６】
音声デコーダ部３４は、デマルチプレクサ部３２で分離された音声ストリーム（ＡＣ−３方式等で符号化）を、デコード処理（ＡＣ−３方式等で復号化）して、コンテンツのデジタル音声信号を得る。【００４７】
警告画面（ＯＳＤ：Ｏｎ  Ｓｃｒｅｅｎ  Ｄｉｓｐｌａｙ）生成部３５は、システム制御部１１によって生成される警告表示や装置の動作状態表示や機能選択画面等を、画面上に表示させるための画像信号を出力する。実施の形態１では、警告画面生成部３５は、「高解像度デジタル映像信号を標準解像度で画面表示する旨」又は「全く画面表示できない旨」の何れかを通知する警告画面を生成して、映像ミキシング部３６に出力する。【００４８】
映像ミキシング部３６は、映像デコーダ部３３で生成されたデジタル映像信号による映像に、警告画面生成部３５で生成されたデジタル映像信号による映像が重畳表示されるように映像をミキシングし、そのミキシングされたデジタル映像信号による映像コンテンツを出力する。【００４９】
映像信号変換部３７は、映像表示装置４で表示可能である解像度に映像コンテンツの映像フォーマットを変換（例えば、高解像度を標準解像度に変換）して出力することができると共に、デジタル映像コンテンツのデジタル映像信号をアナログ映像信号に変換して出力することもできる。【００５０】
コピー制御信号重畳部３８は、アナログ映像信号に対しては、システム制御部１１からの制御に基づいて、映像ミキシング部３６から出力された映像コンテンツのアナログ映像信号にコピー制御信号を重畳した信号を生成する。コピー制御信号は、アナログ映像信号に、コピーの禁止又は所定回数のみのコピーを許可する信号である。また、コピー制御信号重畳部３８は、デジタル映像信号に対しては、例えば、上記したＨＤＣＰに従ってデジタル暗号化を施した後、デジタル映像信号として出力される。【００５１】
図２は、図１に示した光ディスク２の内部ファイルデータ構造を示す図である。図２中で、光ディスク２のファイルデータは、光ディスク２のディスク内周側４１からディスク外周側４２に向かってデータが記録される。【００５２】
リードイン領域５１には、光ディスク２の開始情報や物理特性等が記述される。ファイル管理情報領域５２には、光ディスク２のファイルシステム情報が管理される。ユーザーデータ領域５３は、映像コンテンツ供給元の情報を予め記録できる領域である。リードアウト領域５４には、ディスク終端情報が記述される。【００５３】
ユーザーデータ領域５３は、再生制御情報領域６１とストリーム情報領域６２から構成される。ストリーム情報領域６２は、少なくとも１つ以上の多重化圧縮された一連のストリームを示すストリーム情報ファイル８１を記録する。ストリーム情報ファイル８１は、映像ストリームや音声ストリームが多重化されたファイルである。ストリーム情報ファイル８１をデマルチプレクサ部３２で分離することにより、映像ストリーム及び音声ストリームが生成される。なお、以下の映像ストリームについては、ＭＰＥＧ−２  ＥＳ（エレメンタリストリーム）規格に規定されるＧＯＰ（Ｇｒｏｕｐ  ｏｆ  Ｐｉｃｔｕｒｅ）等の圧縮単位で符号化されたストリーム情報であることとして説明を進める。【００５４】
再生制御情報領域６１には、１つの再生制御情報ファイル７１と、少なくとも１つ以上のアドレス管理ファイル７２が記録される。再生制御情報ファイル７１には、番組プログラムの再生区間情報及び再生順序情報、ストリーム情報ファイル８１毎の映像コンテンツ情報等が記述される。アドレス管理ファイル７２は、ストリーム情報ファイル８１と一対一で関連付けされており、ファイル名等で対応付けされる。アドレス管理ファイル（＃１）７２には、対応付けられるストリーム情報ファイル（＃１）８１を構成するアクセスポイント毎の開始アドレス、表示開始時刻情報等が記述される。【００５５】
なお、アクセスポイントは、複数のＧＯＰで構成されていても構わない。また、実施の形態１では、１つの再生制御情報ファイル７１が存在する場合について述べているが、その情報を細分化し複数のファイルに分割して管理しても構わない。また、実施の形態１では、光ディスク２に保持される全てのプレイリスト情報が、再生制御情報ファイル７１内に保持される場合を示しているが、番組を示すプレイリスト情報毎に、異なるファイルに保持させて管理しても良い。【００５６】
図３は、図１に示した光ディスク２の論理ファイル構造を示す図である。ルートディレクトリ１００は、論理的に階層構造を成すファイル構造の最上位階層のディレクトリ構造である。ディスクディレクトリ１０１は、ルートディレクトリ１００の下位階層に配置されるディレクトリ構造である。【００５７】
ディスクディレクトリ１０１は、光ディスク２に記録されるディスク映像コンテンツ管理情報である再生制御情報ファイル７１、アドレス管理ファイル７２がまとめて記録されたフォルダであるアドレス管理ディレクトリ１０２、及び、ストリーム情報ファイル８１がまとめて記録されたフォルダであるストリーム管理ディレクトリ１０３で構成される。【００５８】
なお、図３中で、アドレス管理ファイル７２とストリーム情報ファイル８１は、５桁のファイル名により一対一で対応付けされるものとして説明を進める。ファイル名は５桁の数字であれば良く、連番である必要はない。また、図３中では、アドレス管理ファイル７２とストリーム情報ファイル８１が個別のディレクトリ内に配置される場合が示されるが、両ファイルは同一のディレクトリ内に配置されていてもよく、そのファイルがルートディレクトリ１００に直接配置されていても良い。また、実施の形態１では、上記したようにアドレス管理ファイル７２には、ストリーム情報ファイル８１が一対一で対応するように記録された場合を示したが、１つのアドレス管理ファイル７２に対応して複数のストリーム情報ファイル８１がまとめて記録されるようにしても良い。【００５９】
図４は、図２に示したストリーム情報ファイル８１の内部データ構造を示すストリーム構成図である。ストリーム情報ファイル８１は、パケット１３０と称される固定長のデータ単位により構成される。映像データ、音声データ、ストリーム管理データは、このパケット１３０の単位に分割された後、多重化されてストリーム情報ファイル８１を構成する。各パケット１３０の先頭には、ヘッダ情報１３１が設けられ、ヘッダ情報１３１に記述されたＩＤ（Ｉｄｅｎｔｉｆｉｃａｔｉｏｎ）１３２により、パケット１３０内のデータ識別が行われる。図１のデマルチプレクサ部３２は、このＩＤ１３２を識別して、映像データ、音声データ、ストリーム管理データ等に分離する。【００６０】
図５は、図２及び図３に示されたアドレス管理ファイル７２のシンタックスを示す図である。“Ｓｔａｒｔ＿ＰＴＳ”１４１は、対象となるストリーム情報ファイル８１の最初のビデオフレームのＰＴＳ（Ｐｒｅｓｅｎｔａｔｉｏｎ  Ｔｉｍｅ  Ｓｔａｍｐ）を示し、“Ｅｎｄ＿ＰＴＳ”１４２は、最終のビデオフレームのＰＴＳを示す。【００６１】
図２及び図３のストリーム情報ファイル８１は、１つ又は複数のプログラムという管理単位に分割される。プログラムとは、デジタル映像信号による映像コンテンツや音声情報等のストリーム属性情報が切り替わる単位である。プログラムは、ストリーム情報ファイル８１中で、ＳＤ映像コンテンツからＨＤ映像コンテンツに切り替わる部分等で分割される。属性情報管理テーブルは、ストリームを構成しているプログラム毎に、ストリーム属性情報や、ストリームを構成しているパケットＩＤ等を格納する。【００６２】
“ｎｕｍ＿ｏｆ＿ｐｒｏｇｒａｍ”１４３は、プログラムの総数であり、次のループ文（“ｆｏｒ”以下）は、“ｎｕｍ＿ｏｆ＿ｐｒｏｇｒａｍ”１４３の数だけ繰り返される。“ＳＰＮ＿Ｐｒｏｇｒａｍ＿Ｓｔａｒｔ”１４４は、ストリーム情報ファイル８１の先頭からそのプログラムの先頭までの相対パケット数である。“Ｖｉｄｅｏ＿ｐａｃｋｅｔ＿ＩＤ”１４５、“Ａｕｄｉｏ＿ｐａｃｋｅｔ＿ＩＤ”１４６、“Ｓｔｒｅａｍ＿ｐａｃｋｅｔ＿ＩＤ”１４７には、ストリーム情報ファイル８１に多重化された映像データ、音声データ、ストリーム管理データの各々のストリームの割り当てられるパケットのＩＤが記述される。ストリーム管理データには、その多重化されたストリーム内の構成ストリーム毎の属性情報や、前述したＩＣＴ等のアナログ制限フラグ情報等が格納される。【００６３】
“Ｆｏｒｍａｔ＿Ｔｙｐｅ”１４８は、解像度情報を示し、“ＣｏｐｙＲｉｇｈｔ＿Ｉｎｆｏ”１４９は、映像コンテンツ保護強度情報等を示す。図１のアナログ出力判定部２１は、“Ｆｏｒｍａｔ＿Ｔｙｐｅ”１４８の情報に基づいて、そのプログラムがＳＤ映像コンテンツかＨＤ映像コンテンツかを区別する。【００６４】
また、プログラム毎の属性情報は、映像コーデック種別、音声コーデック種別、映像フレームレート、音声サンプルレート等の情報を含んでいても良い。また、このような情報と組み合わせることで、もっと細分化された制御を実施しても良い。アクセスポイント管理テーブルは、アクセスポイント毎のストリーム読み出し位置と、再生開始時間を記録したリストであり、その情報を用いてサーチや特殊再生等のランダムアクセス再生を実施することができる。なお、例えば、映像データがＭＰＥＧ−２ビデオストリームでエンコードされる場合、ＧＯＰ（Ｇｒｏｕｐ  Ｏｆ  Ｐｉｃｔｕｒｅ）の先頭が、アクセスポイントに相当するものであり、ストリーム情報ファイル８１のどのパケットに、ＧＯＰの先頭が存在するかが記述される。【００６５】
“ｎｕｍ＿ｏｆ＿ｅｎｔｒｙ”１５１は、アクセスポイントの総数、次のループ文（“ｆｏｒ”以下）は、“ｎｕｍ＿ｏｆ＿ｅｎｔｒｙ”１５１の数だけ繰り返される。“ＰＴＳ＿ＧＯＰ＿Ｓｔａｒｔ”１５２は、そのアクセスポイントの表示開始ＰＴＳを示し、“ＳＰＮ＿ＧＯＰ＿Ｓｔａｒｔ”１５３は、ストリーム情報ファイル８１の先頭からアクセスポイントの先頭までの相対パケット数である。パケットは固定長であることから、ストリーム情報ファイル８１の先頭からアクセスポイント先頭までの相対バイト数は、“ＳＰＮ＿ＧＯＰ＿Ｓｔａｒｔ”１５３の値とパケット当たりのバイト数を掛け合せた値で算出できる。映像コンテンツ再生装置１は、ストリーム情報ファイル８１の先頭からのバイト数から、ディスク上のアクセスポイントの位置を割り出し、ランダムアクセス再生を実施する。【００６６】
図６は、図２及び図３に示された再生制御情報ファイル７１のシンタックスを示す図である。“ディスク一般情報”は、ディスク情報を示すものであり、ディスク保護設定やディスク名設定情報を格納する。【００６７】
“プレイリスト情報”は、番組単位の情報であるプレイリストに関する情報を保持する。“ｎｕｍ＿ｏｆ＿ＰｌａｙＬｉｓｔ”１６１は、光ディスク２に記録されたプレイリストの総数、次のループ文は“ｎｕｍ＿ｏｆ＿ＰｌａｙＬｉｓｔ”１６１の数だけ繰り返される。“ｎｕｍ＿ｏｆ＿Ｐｌａｙ＿Ｉｎｔｅｒｖａｌ”１６２は、プレイリストを構成している再生区間情報の総数を示し、次のループ文で“ｎｕｍ＿ｏｆ＿Ｐｌａｙ＿Ｉｎｔｅｒｖａｌ”１６２の数だけ繰り返される。【００６８】
再生区間情報は、プレイアイテムとも称され、“ｓｔｒｅａｍ＿ｎａｍｅ”１６３、“Ｓｔａｒｔ＿Ｔｉｍｅ”１６４、“Ｅｎｄ＿Ｔｉｍｅ”１６５の情報が記録される。“ｓｔｒｅａｍ＿ｎａｍｅ”１６３は、再生の対象となるストリーム情報ファイル８１のファイル名を示し、“Ｓｔａｒｔ＿ｔｉｍｅ”１６４  “Ｅｎｄ＿ｔｉｍｅ”１６５は、再生対象のストリーム情報ファイル８１の所定区間の再生開始時間と再生終了時間を示す。実施の形態１では、ビデオデータのＰＴＳ（Ｐｒｅｓｅｎｔａｔｉｏｎ  Ｔｉｍｅ  Ｓｔａｍｐ）を“Ｓｔａｒｔ＿ｔｉｍｅ”１６４、“Ｅｎｄ＿ｔｉｍｅ”１６５としている。これらの情報から、映像コンテンツ再生装置１は、ストリーム情報ファイル８１のどの区間を再生すれば良いのかを検出することができる。【００６９】
図７は、図２及び図３に示された再生制御情報ファイル７１で管理される番組データ構成を示す概念図である。図７のプレイリストとは、映像コンテンツ再生装置１の使用者が選択する番組に相当するものであり、そのプレイリストの情報は再生制御情報ファイル７１内に記述される情報である。プレイリストは、ストリーム情報ファイル８１の所定の再生区間が複数集まったものである。プレイリストは、１つのストリーム情報ファイル８１の１つの再生区間である場合や、１つのストリーム情報ファイル８１内の複数の再生区間から構成される場合や、異なるストリーム情報ファイル８１の各々の所定の再生区間から構成される場合等様々な形態で構成される。【００７０】
その所定の再生区間は、再生対象のアドレス管理ファイル７２の名前（“ｓｔｒｅａｍ＿ｎａｍｅ”１６３）と、再生開始点（“Ｓｔａｒｔ＿Ｔｉｍｅ”１６４）と、終了点（“Ｅｎｄ＿Ｔｉｍｅ”１６５）とを指定して決定される。アドレス管理ファイル７２内のアクセスポイント管理テーブル（図５参照）の情報と組み合わせれば、ストリーム情報ファイル８１の任意のアクセスポイントの開始位置が分かる。これを利用して、ストリーム情報ファイル８１の特殊再生制御や、タイムサーチ等に活用することができる。【００７１】
また、図７では、実施の形態１に係る再生モデルの例を示している。図７では、プレイリスト（＃１）が３つの再生区間を保持している例を示しており、再生は、再生区間１、再生区間２、続けて再生区間３という順番で実施される。なお、各プレイリスト中では、再生区間毎に異なる映像フォーマットが混在していても構わない。例えば、再生区間１の再生中はＳＤ映像コンテンツが表示され、再生区間２の再生中はＨＤ映像コンテンツが表示され、再生区間３の再生中はＳＤ映像コンテンツが表示されるようにプレイリストを構成しても良い。【００７２】
図８（ａ）及び（ｂ）は、図１に示された映像コンテンツ再生装置１でアナログ映像出力が２通りに制限された場合に、接続された映像表示装置４における表示形態を示す図であり、同図（ａ）は、アナログ映像出力端子にＳＤ映像の出力が許可され、ＨＤ映像の出力が許可されないＣａｓｅ１を示し、同図（ｂ）は、アナログ映像出力端子に、一切の映像の出力が禁止されたＣａｓｅ２を示す。なお、図８（ａ）及び（ｂ）において、出力端子がデジタル映像（ＨＤＭＩ）の場合は、比較のために示されたものである。実施の形態１は、図８（ａ）のＣａｓｅ１の場合に格別な効果を奏するものである。アナログ映像出力端子への映像の出力が制限されると、システム制御部１１において、「映像フォーマット種別解析結果（すなわち、ＳＤ映像フォーマットであるかＨＤ映像フォーマットであるかの判定）」と「映像表示装置４との機器認証情報」の情報に応じて、接続された映像表示装置４に映像を表示させることができるか否かと、表示させることができる場合には表示品位（高解像度）が決定される。【００７３】
具体例として、まず図８（ａ）のＣａｓｅ１におけるＤ３端子（ＨＤ映像コンテンツ出力が可能なアナログ映像出力端子）の場合について詳細に説明する。Ｄ３端子は、アナログの高解像度放送であるハイビジョン信号が表示可能な出力端子であり、現状では何の規制もないので、光ディスク２に記録されたＨＤ映像コンテンツについてもアナログＨＤ映像信号に変換して表示させることができる。しかし、将来的にＣａｓｅ１のアナログ映像の出力制限措置が実施された場合には、光ディスク２に記録されたＨＤ映像コンテンツについては、ＨＤ映像コンテンツのままの高解像度で出力及び表示させることができなくなる。その場合、映像を出力（表示）させること自体を禁止するか、再生したＨＤ映像コンテンツをＳＤ映像コンテンツに解像度を落として出力（表示）させることになる。なお、Ｃａｓｅ１の出力制限措置の場合には、ＳＤ映像コンテンツに対しては、そのままＳＤ映像コンテンツの解像度で表示することが可能である。【００７４】
次に、上記とは別の図８（ｂ）のＣａｓｅ２の場合について一例を説明する。この場合も出力端子がデジタル映像（ＨＤＭＩ）の場合は、比較のために示されたものであり、実施の形態１には含まれない。Ｃａｓｅ２の場合は、アナログ出力端子に映像信号を出力すること自体が禁止された場合であるため、映像コンテンツ再生装置１のアナログ出力端子であるコンポジット端子、Ｓ端子、Ｄ１端子〜Ｄ５端子からは、映像信号を出力することができない。すなわち、映像コンテンツ再生装置１における機器認証が必要なデジタル映像出力端子からしか映像信号を出力することができないため、アナログ映像の入力端子のみで、デジタル映像の入力端子を具備しない映像表示装置４の場合には、光ディスク２に記録された全てのＨＤ映像コンテンツが表示することができないことになる。【００７５】
図９は、図１の光ディスク２に記録されたＨＤ映像コンテンツの１フィールド分のアナログ映像信号の波形にコピー制御信号１８１を重畳した場合を示す波形図である。図１のシステム制御部１１は、映像信号変換部３７から出力される映像コンテンツのアナログ映像信号にコピー制御信号１８１を付加する場合、その映像コンテンツのアナログ映像信号における垂直ブランキング区間にコピー制御信号１８１を付加（重畳）する。映像コンテンツのアナログ映像信号には、アナログ映像信号における垂直ブランキング領域にコピー制御信号１８１が重畳されるので、コピー制御信号１８１は表示映像に影響せず、映像コンテンツ再生装置に接続された映像表示装置４は、映像を正常に表示することができる。しかし、ＶＴＲ等の録画装置にとっては、そのコピー制御信号１８１がＡＧＣ（オートゲインコントロール）を狂わせるので、正常に記録することができなくなりダビングが防止される。また、コピー制御信号１８１をアナログ映像信号に付加する方法は、上記方法に限られるものではなく、例えば、カラーバーストを反転させることによってコピー制御信号を付加する等、他のコピー防止技術のコピー制御信号を用いても良い。【００７６】
図１０は、図１に示した表示装置認証判定部２２が映像表示装置４の表示機能を検出するために制御線を用いた通信により機器認証する方法の一例を示す図である。なお、図１０には、映像コンテンツ再生装置１が接続された映像表示装置４の機器認証をする方法の一例を示しているが、映像コンテンツ再生装置１と接続された映像表示装置４でも、同様の手順で映像コンテンツ再生装置１が機器認証される。まず、映像コンテンツ再生装置１では、システム制御部１１からの命令に基づいて、乱数“Ｒｎｄ”を発生させると共に、その乱数“Ｒｎｄ”を映像表示装置４に送信する（ステップＳ３１）。その乱数“Ｒｎｄ”と、映像コンテンツ再生装置１が予め保持されている暗号化鍵“Ｋｅｙ＿Ｐ”とを、決められた算式に基づいて演算して解答“Ａｎｓ＿Ｐ”を得る（ステップＳ３２）。【００７７】
映像表示装置４では、同様に予め保持されている暗号化鍵“Ｋｅｙ＿Ｒ”と受信した乱数“Ｒｎｄ”を用いて、解答“Ａｎｓ＿Ｒ”を演算すると共に、その解答“Ａｎｓ＿Ｒ”を映像コンテンツ再生装置１に送信する（ステップＳ３３）。映像コンテンツ再生装置１では、ステップＳ３２で得られた解答“Ａｎｓ＿Ｐ”と、受信した解答“Ａｎｓ＿Ｒ”が一致しているかを検査し、一致している場合には、機器認証が正常実施できることを示す情報を再生制御情報一時記憶部１２に記憶させる（ステップＳ３４）。なお、ステップＳ３３〜ステップＳ３４の手順は、図１０にステップＳ３３〜ステップＳ３４の繰り返し及びステップＳ３５〜ステップＳ３６で示したように、固定周期（例えば、３秒等）で手順を繰り返して確認することで、逐次機器認証の検査を実施するようにしても良い。【００７８】
図１１は、図８（ａ）の出力端子がアナログ映像の（Ｄ３端子）の場合の映像コンテンツのアナログ映像信号による出力制限箇所を再生する前に表示される警告画面の一例を示す図である。図１１の警告画面には、「通常再生」ボタン１９１、「再生中止」ボタン１９２の２つのボタンが表示され、映像コンテンツ再生装置１の使用者は、操作部３を介してそのボタンに対応するキー等を押下することにより、ＳＤ（標準解像度）で出力制限箇所の再生を継続するか、出力制限箇所の再生を注しするかを決定することができる。【００７９】
また、図１１のデジタル映像出力状態表示領域１９３に示したように、補助的な関連情報として、アナログ映像の高解像度出力が制限された再生区間でも正常に高解像度表示が可能なデジタルインターフェースが有効であるか否かの状況を表示させても良い。この場合のデジタルインターフェースの状況は、図１０を用いて説明したように、機器認証情報は予め再生制御情報一時記憶部１２に格納されていることから、システム制御部１１は、その情報を読み出すことで、映像表示装置４に逐次アクセスしなくても、素早くデジタルインターフェースによる機器認証状態を把握することができる。【００８０】
なお、このデジタルインターフェースの状態の情報は、必ずしも図１１に示すように警告画面中に表示する必要はなく、例えば、映像コンテンツ再生装置１に備えられている不図示の表示管やＬＥＤ等により表示させても良いし、映像コンテンツ再生装置１の初期設定を実施するための設定画面中に表示させるか、操作部３の専用キーにより別画面で表示させても良い。図１１のようにデジタルインターフェースの状況の情報を映像表示装置４に表示させることにより、アナログ映像の出力が制限される再生区間であっても、正常に再生できるデジタル映像出力が可能な環境か否かを、一瞥しただけで理解できるユーザーインターフェースを提供することができる。また、このようなデジタルインターフェースの状況の情報を表示することで、デジタル映像出力ケーブルが断線していたり、機器認証が正常に動作しないこと等を即座に検出することができる。【００８１】
また、図１１のプレイリスト構成情報表示領域１９４に示したように、更なる補助的な関連情報として、再生対象番組を示すプレイリストの映像フォーマット、及び、アナログ再生の出力制限が予想される箇所を表示させても良い。プレイリスト構成情報表示領域１９４に示された情報により、映像コンテンツ再生装置１の使用者は、プレイリストを構成する再生区間数、アナログ映像の出力制限区間（図１１では、警告アイコンを表示）及び映像制限種別等についての情報、プレイリスト総再生時間等の情報を予め詳細に知ることができる。従って、使用者は、プレイリストタイトルの映像コンテンツ（再生区間）再生後に突然映像が途絶えたり、解像度が変化しても、予め知っている事態であるので混乱することなく視聴を続けることができる。【００８２】
図１２（ａ）〜（ｃ）は、ＳＤ映像コンテンツとＨＤ映像コンテンツが混在するプレイリストで再生する場合の各再生区間の再生前の表示画面の一例を示す図であり、同図（ａ）が各再生区間の記録解像度を示し、同図（ｂ）がアナログ映像出力端子にＳＤ映像までが許可されたＣａｓｅ１の場合であり、同図（ｃ）がアナログ映像出力端子映像出力が禁止されたＣａｓｅ２の場合である。なお、図１２（ａ）〜（ｃ）では、実施の形態１の前提条件に従い、高解像度表示可能なデジタルインターフェースが使用できない場合の画面表示の例を示している。図１２（ａ）に示されたＨＤ映像コンテンツの区間が、システム制御部１１によりアナログ映像の出力制限区間と検出された場合、同区間を表示する前には、ＳＤアナログ出力のみが認められる場合には図１２（ｂ）の再生区間２に示されたように「ＳＤ映像コンテンツ出力に変換する」等のメッセージが警告画面（ＯＳＤ）生成部３５にて生成される。また、図１２（ａ）に示されたＨＤ映像コンテンツの区間が、システム制御部１１によりアナログ映像の出力制限区間と検出された場合、アナログ出力が全面的に禁止される場合は、図１２（ｃ）の各再生区間に示されたように、「出力できない」等のメッセージが警告画面（ＯＳＤ）生成部３５にて生成され、映像ミキシング部３６で再生映像に重畳される。また、表示画面には、図１２（ｂ）及び（ｃ）の画面下部に示したように、再生対象番組を示すプレイリストの映像フォーマット、及び再生制限が予想される区間、及び現在再生位置を示すＧＵＩを付加しても良い。【００８３】
図１３は、図１に示された映像コンテンツ再生装置１の動作を示すフローチャートである。以下、図１に示された映像コンテンツ再生装置１の動作の一例を、図１から図１２（ａ）〜（ｃ）までを適宜参照しつつ、図１３に基づいて詳細に説明する。光ディスク２が再生ドライブ部３１に挿入されると、システム制御部１１は、まず光ディスク２のファイル管理情報領域５２に格納されたファイルシステム情報を読み込み、そのファイルシステム情報から、図３に示された論理ディレクトリ構造を展開する。その後、システム制御部１１は、光ディスク２に記録された再生制御情報ファイル７１及びアドレス管理ファイル７２を全て再生制御情報一時記憶部１２に読み込むように各部に指示（命令）を出力して実行させる。【００８４】
その後、システム制御部１１は、操作部３から再生する番組プログラム番号が入力されると、再生制御情報一時記憶部１２に記憶された再生制御情報ファイル７１から、番組番号に対応したプレイリストを読み込む（ステップＳ１）。【００８５】
システム制御部１１は、再生制御情報ファイル７１から、プレイリストを構成している１つ以上の再生区間情報を読み出すと共に、プレイリストを構成している全ての再生区間情報から再生すべきアドレス管理ファイル７２の名前情報である“Ｓｔｒｅａｍ＿ｎａｍｅ”１６３、再生開始ＰＴＳを示す“Ｓｔａｒｔ＿Ｔｉｍｅ”１６４、及び、再生終了ＰＴＳを示す“Ｅｎｄ＿Ｔｉｍｅ”１６５を読み出す（ステップＳ２）。【００８６】
次に、システム制御部１１は、再生制御情報一時記憶部１２に記憶された再生対象のアドレス管理ファイル７２から、再生区間毎に、再生開始ＰＴＳが属するアクセスポイントを探索する。具体的には、アクセスポイント管理テーブルの“ＰＴＳ＿ＧＯＰ＿Ｓｔａｒｔ”１５２を昇順で探索し、再生開始ＰＴＳが属するアクセスポイントの“ＳＰＮ＿ＧＯＰ＿Ｓｔａｒｔ”１５３の位置情報を取得する。このように検出された“ＳＰＮ＿ＧＯＰ＿Ｓｔａｒｔ”１５３の設定値は、その再生区間情報に定義されるストリーム読み出し開始位置を示している。【００８７】
その後、システム制御部１１は、そのアドレス管理ファイル７２に記録された属性情報管理テーブルからストリーム読み出し開始位置が属しているプログラムの属性情報を取得する。具体的には、プログラムの開始ＳＰＮの情報が“ＳＰＮ＿Ｐｒｏｇｒａｍ＿Ｓｔａｒｔ”１４４に記録されるため、さきほど取得したストリーム読み出し開始位置が属するＳＰＮを昇順で比較して探索することで、ストリーム読み出し位置が属するプログラムを特定する。【００８８】
プログラムが特定されることで、システム制御部１１内のアナログ出力判定部２１では、再生区間情報が保持する“Ｖｉｄｅｏ＿ｐａｃｋｅｔ＿ＩＤ”１４５、“Ａｕｄｉｏ＿Ｐａｃｋｅｔ＿ＩＤ”１４６、“Ｓｔｒｅａｍ＿ｐａｃｋｅｔ＿ＩＤ”１４７、“Ｆｏｒｍａｔ＿Ｔｙｐｅ”１４８、“ＣｏｐｙＲｉｇｈｔ＿Ｉｎｆｏ”１４９、及び“Ｃｏｄｅｃ＿Ｔｙｐｅ”１５０等の番組属性情報やストリームＩＤ情報等を取得することができる。システム制御部１１は、上記した方法により“Ｆｏｒｍａｔ＿Ｔｙｐｅ”１４８に基づいて、ＨＤ映像コンテンツかＳＤ映像コンテンツかを区別する映像フォーマット情報を、全ての再生区間について取得する（ステップＳ３）。【００８９】
実施の形態１の映像フォーマットを取得する手段としては、再生制御情報領域６１中のアドレス管理ファイル７２内に格納される情報を利用しているが、例えば、上記したようにストリーム情報ファイル８１中に記録されるアナログ出力制限フラグであるＩＣＴフラグを利用して検出しても良い。その場合、“Ｓｔｒｅａｍ＿ｐａｃｋｅｔ＿ＩＤ”１４７に記録されるＩＤ番号に従って、ストリーム情報ファイル８１を解析すれば良い。解析については、再生区間情報の全区間に渡りアナログ映像信号による映像コンテンツの出力制限箇所を調べても良いし、解析速度を優先し、再生区間情報の冒頭部分の情報を用いて、その再生区間の全体情報のアナログ映像の出力制限について検出しても良い。【００９０】
次に、システム制御部１１内の表示装置認証判定部２２では、接続された映像表示装置４と間で表示装置の機能を検出するために機器認証を実施する（ステップＳ４）。機器認証は、図１０に示す手順で各タイトルの記録再生区間の再生前に実施され、ＨＤ映像コンテンツが正常に表示可能な出力端子が存在するか否かが調査される。なお、機器認証の情報を取得するタイミングについては、プレイリストの再生開始直前に限られるものではなく、タイトルの映像コンテンツ（再生区間）再生前であれば良いので、例えば、映像コンテンツ再生装置１の電源ＯＮ時等に実施しても良い。【００９１】
なお、このような機器認証を実施するために、映像コンテンツ再生装置１は、映像ストリームを送出することで機器認証を開始しなければならない場合があり、その場合には、通常は光ディスク２に記録された映像ストリームが利用されるが、例えば、光ディスク２が挿入されていない場合にも機器認証が実施できるように、再生制御情報一時記憶部１２に予め映像ストリームを保持させておいても良い。この構成にすることで、光ディスク２が挿入されていなくても、機器認証を即座に実施することができる映像コンテンツ再生装置１を提供することができる。さらに上記手順で取得された認証結果についても、再生制御情報一時記憶部１２に保持させることで、光ディスク２内の映像を出力しなくても高速に機器認証を実施することができる。なお、その場合には、不要な通信を実施することでシステム制御部１１の負荷を上げないように、初期設定画面等により機器認証を実施するか否かを設定させるようにしても良い。【００９２】
その後、システム制御部１１では、ステップＳ３で取得した「映像フォーマット種別解析結果」とステップＳ４で取得した「映像表示装置４との機器認証情報」に応じて、図１１に示す警告画面を表示する必要が無いデジタル出力が可能であるか否かを検出する（ステップＳ５）。具体的には、「映像表示装置４との機器認証情報」によりアナログ映像出力にする必要があるかをチェックする。その際に、映像表示装置４においてデジタル映像出力が「使用可能」である場合、ステップＳ５の判断はＹＥＳになり、図１１に示す警告画面を表示する必要はないため、通常再生ステップに遷移する（ステップＳ８）。なお、映像表示装置４側でデジタル映像出力ケーブルが断線していたり、そのデジタル映像出力の認証機構が動作しない場合には、機器認証が実施できないためデジタル映像出力が「使用不可能」となるので警告画面は表示されることになる。【００９３】
その後、システム制御部１１では、アナログ出力判定部２１に保持されている全ての再生区間情報の映像フォーマット種別からアナログ映像信号による映像コンテンツの出力制限区間が存在するかを検出する（ステップＳ５）。その検出結果からアナログ映像信号による映像コンテンツの出力制限区間が存在しない場合には、ステップＳ５における判断はＹＥＳになり、図１１に示す警告画面を表示する必要がないため通常再生ステップに遷移する（ステップＳ８）。【００９４】
一方、ステップＳ５でアナログ映像信号による映像コンテンツの出力制限区間が存在すると検出された場合には、ステップＳ５における判断はＮＯになり、図１１に示した警告画面を表示させる（ステップＳ６）。その警告画面には、アナログ映像信号による映像コンテンツの出力制限区間の情報から、映像コンテンツ再生装置１の使用者に視覚的にわかりやすいＧＵＩをＯＳＤ画面として作成して表示することにより通知する。また、図１１のデジタル映像出力状態表示領域１９３に示したように、デジタル映像出力端子が「使用不可能」である旨を表示することで、映像コンテンツ再生装置１の使用者に対して、その映像表示装置４ではＨＤ映像コンテンツが視聴できないことを再認識させても良い。【００９５】
図１１に示された警告画面は、光ディスク２が再生可能であるたびに表示される可能性も高い。そのような場合には、初期設定画面等により本警告画面自身を表示させないよう設定させるようにしても良い。【００９６】
図１１の警告画面上で「通常再生」ボタン１９１か「再生中止」ボタン１９２が選択され押下されることにより、再生継続の有無が決定される（ステップＳ７）。「通常再生」ボタン１９１が押下された場合には、ステップＳ７における判定はＹＥＳになり、通常再生ステップに遷移し（ステップＳ８）、「再生中止」ボタン１９２が押下された場合には、ステップＳ７における判定はＮＯになり、選択した番組の再生が終了される（ステップＳ９）。【００９７】
ステップＳ８で通常再生が選択された場合には、システム制御部１１は、再生制御情報一時記憶部１２に展開される再生対象のアドレス管理ファイル７２から、上述した方法により再生開始ＰＴＳが属するアクセスポイントを探索し、再生開始ＰＴＳが属するアクセスポイントの“ＳＰＮ＿ＧＯＰ＿Ｓｔａｒｔ”１５３の位置情報を取得する。その後、デコーダブロック１３では、再生区間情報に定義されるストリーム情報ファイル８１のファイル先頭から“ＳＰＮ＿ＧＯＰ＿Ｓｔａｒｔ”１５３で定義される位置からデコードを開始する。【００９８】
その後、ストリーム情報ファイル８１は、属性情報管理テーブルに示される“Ｖｉｄｅｏ＿ｐａｃｋｅｔ＿ＩＤ”１４５、“Ａｕｄｉｏ＿ｐａｃｋｅｔ＿ＩＤ”１４６、及び“Ｓｔｒｅａｍ＿ｐａｃｋｅｔ＿ＩＤ”１４７のＩＤ番号に従い、デマルチプレクサ部３２でパケット種別毎に分離され、映像デコーダ部３３、音声デコーダ部３４、図示しないシステムデコーダへ各パケットの情報が入力される。【００９９】
映像デコーダ部３３には、映像データである映像パケットが供給され、そのパケットのＰＴＳで規定される表示時刻で、復号化したデジタル映像信号による映像コンテンツが映像ミキシング部３６に出力される。また、音声デコーダ部３４でも、ＰＴＳで規定される表示時刻のタイミングで音声パケットが復号化され、映像表示装置４から音声が出力される。このようにして順次映像音声が再生されるが、再生終了ＰＴＳを示すＥｎｄ＿Ｔｉｍｅ１６５の時刻に到達した場合、１つの再生区間の出力が終了する。その後は、同様の手順で、プレイリストを構成している次の再生区間を再生することができる。【０１００】
また、アナログ映像出力制限区間においては、図１１ではなく図１２（ｂ）及び（ｃ）に示したＯＳＤを表示させても良い。アナログ映像出力制限区間では、映像デコーダ部３３からはＨＤ映像コンテンツが出力される。しかし映像表示装置４に対しては、上記したようにＨＤ映像コンテンツを出力することができないため、映像ミキシング部３６に内蔵されるスケーラにより、ＨＤ映像コンテンツをＳＤ映像コンテンツに自動的にフォーマット変換した後、コピー制御信号重畳部３８にてコピー制御信号１８１を付加し、映像表示装置４へ出力する。その際に、システム制御部１１からの指定を受けた警告画面生成部３５では、出力制限区間の可否、及び、出力制限レベルに応じて、図１２（ａ）〜（ｃ）に示した映像コンテンツ再生装置１の使用者への説明用ＯＳＤを生成する。そして映像ミキシング部３６では、映像デコーダ部３３から出力されたＨＤ映像コンテンツをＳＤ映像コンテンツにフォーマット変換した後、警告画面（ＯＳＤ）生成部３５から供給されたデジタル映像信号による映像コンテンツを重畳表示させることで、図１２（ａ）〜（ｃ）で示すような画面を生成し、映像表示装置４にその映像を表示させる。このような説明用ＯＳＤを付加することにより、アナログ映像出力制限区間の再生時には、突然に映像表示されなくなったり、映像の品位が落ちて表示したとしても、使用者は映像コンテンツ再生装置１の不具合ではないと容易に認識することができる。【０１０１】
なお、実施の形態１では、番組（タイトル）の再生開始前に警告画面を表示する例を示しているが、アナログ映像の制限される箇所を検出した直後に表示させても構わない。また、図１３で示す機器認証情報を取得するステップＳ４を実施せず、プレイリストの映像フォーマット種別解析結果（ステップＳ３）のみから、警告画面表示を実施するか否かを決定しても良い。【０１０２】
このように実施の形態１では、タイトルの映像コンテンツ（再生区間）を再生開始前にＨＤ映像コンテンツのアナログ出力制限のある箇所を含んでいるか否かを検出し、その検出結果を自動的に映像表示装置４に表示することができるので、映像コンテンツ再生装置１の使用者は、再生前に予めＨＤ映像コンテンツにおけるアナログ出力制限箇所を知ることができる。そのため、突然に映像が表示されなくなったり、突然に映像の品質が劣化したとしても、機器の故障との誤解をすることなく、安心してタイトルの映像コンテンツ（再生区間）の視聴を続けることができる。【０１０３】
実施の形態２．
実施の形態１では、タイトルの映像コンテンツ（再生区間）を再生開始前にＨＤ映像コンテンツのアナログ出力制限のある箇所を含んでいるかを検出し、その検出結果を自動的に映像表示装置４に表示することができる映像コンテンツ再生装置１についての説明を行ったが、実施の形態２では、アナログ映像信号による映像コンテンツの出力制限区間における制限付の再生を実施する方法について説明する。具体的には、例えば、アナログ映像入力端子しか保持しない映像表示装置４では、アナログ映像出力が禁止される区間は何も表示することができないため、その区間を視聴し続けるのは無駄で無意味な行為である。そのため、実施の形態２では、その制限区間をスキップしたり、早送り処理することで、素早く次の正常にＨＤ映像コンテンツを再生可能な区間に到達させることで、利便性を向上させている。【０１０４】
図１４は、本発明に係る実施の形態２の映像コンテンツ再生装置における出力端子がアナログ映像のＤ３端子である場合に、映像コンテンツのアナログ映像信号による出力制限箇所を再生する前に表示される警告画面の一例を示す図である。この警告画面には、「通常再生」ボタン１９１、「制限付再生モード」ボタン２０１、及び「再生中止」ボタン１９２の３つのボタンが設けられている。映像コンテンツ再生装置１の使用者は、操作部３を介して、後述する制限付再生モードでタイトルの映像コンテンツ（再生区間）を再生させることができる。【０１０５】
図１５（ａ）〜（ｃ）は、実施の形態２の映像コンテンツ再生装置における制限付再生モードによる再生の一例を示す図であり、同図（ａ）が各再生区間の記録解像度を示し、同図（ｂ）が制限区間をスキップして再生する（第１制限付再生モード２１１）場合であり、同図（ｃ）が制限区間を早送り処理して再生する（第２制限付再生モード２１２）場合である。図１５（ａ）〜（ｃ）に示すように、制限付再生モードでは、アナログ映像出力禁止区間以外の部分を順次再生する。図１５（ａ）〜（ｃ）のように光ディスク２の映像コンテンツを再生することで、アナログ映像出力制限区間をスキップして再生（第１制限付再生モード２１１）したり、早送り処理で素早くその区間を見飛ばす再生（第２制限付再生モード２１２）を実施することできる。【０１０６】
図１６は、実施の形態２の映像コンテンツ再生装置の動作を示すフローチャートである。以下、実施の形態２の映像コンテンツ再生装置１の動作の一例を、図１〜図１０、図１２（ａ）〜（ｃ）、図１４、及び図１５（ａ）〜（ｃ）を適宜参照しつつ、図１６に基づいて詳細に説明する。なお、図１４及び図１６において、実施の形態１において説明した構成と同じ又は対応する構成については、同一の符号を付す。【０１０７】
図１６において、ステップＳ１〜ステップＳ５とステップＳ７、Ｓ８、Ｓ９の各処理については、実施の形態１と同様である。また、実施の形態２では、図１４の警告画面上で「制限付再生」ボタン２０１が押下された場合に、図１５（ｂ）のアナログ映像出力制限区間をスキップして再生する第１制限付再生モード２１１の再生を実施する場合の一例について説明する。【０１０８】
ステップＳ５で、映像表示装置４においてデジタル映像出力が「使用可能」で、アナログ映像信号による映像コンテンツの出力制限区間が存在しない場合、ステップＳ５における判断はＹＥＳになり、図１４に示す警告画面を表示する必要はないため、通常再生ステップに遷移する（ステップＳ８）。ステップＳ５でデジタル出力が不可能で警告画面の出力が必要と検出された場合、ステップＳ５における判断はＮＯになり、図１４に示す警告画面が表示される（ステップＳ２１）。【０１０９】
図１４の警告画面上で「通常再生」ボタン１９１又は「制限付き再生モード」ボタン２０１か、「再生中止」ボタン１９２が選択されて押下されることにより、再生継続の有無が決定される（ステップＳ７）。さらに、「通常再生」ボタン１９１か、「制限付き再生モード」ボタン２０１が選択されて押下されることにより、再生継続が通常再生であるか、制限付き再生であるかが決定される（ステップＳ２２）。【０１１０】
その後、「制限付再生」ボタン２０１が、使用者により操作部３を用いて押下された場合、ステップＳ７における判断はＹＥＳになり、ステップＳ２２における判断はＹＥＳになり、制限付再生モードでタイトルの映像コンテンツ（再生区間）が再生開始される。まず、システム制御部１１は、タイトルの映像コンテンツ（再生区間）を再生する前に、アナログ出力判定部２１に保持されているプレイリスト内のアナログ映像の出力制限区間の情報（制限開始時間、制限終了時間のリスト）を取得する。その後、システム制御部１１は、プレイリストの先頭の再生区間である再生区間１から順次再生する。その際に、上述したアナログ映像の出力制限区間の開始時間に到達した場合、そのアナログ映像の出力制限区間の終了時刻まで、チャプターサーチもしくはタイムサーチを利用してジャンプする。そして、次の再生区間の開始時刻から通常再生を継続する。上記の処理を必要に応じて繰り返して継続することで、アナログ映像出力制限区間をスキップして再生することが可能となる。なお、開始時間からストリーム情報ファイルのアドレスを割り出す方法は、実施の形態１の場合と同様である。【０１１１】
また、図１４の警告画面上で、「制限付再生」ボタン２０１が、使用者により操作部３を用いて押下された場合、ステップＳ７における判断はＹＥＳになり、ステップＳ２２における判断はＹＥＳになり、図１５（ｃ）のアナログ映像出力制限区間を早送りして再生する第２制限付再生モード２１２の再生を実施しても良い。その場合のシステム制御部１１が、アナログ映像信号による映像コンテンツの出力制限区間情報（制限開始時間、制限終了時間のリスト）を取得しておくまでのステップは、第１制限付再生モード２１１と同様である。その後プレイリスト先頭の再生区間である再生区間１から順次再生を実行することになるが、上述したアナログ映像出力制限区間の開始時間に到達すると、同アナログ映像出力制限区間の終了時刻まで、早送り等の特殊再生を実施する。そして、次の再生区間の開始時刻から通常再生（１倍速再生）に遷移する。上記の処理を必要に応じて繰り返して継続することで、アナログ映像出力制限区間を特殊再生により早見することが可能となる。なお、開始時間からストリーム情報ファイルのアドレスを割り出す方法は、実施の形態１で説明済みである。【０１１２】
なお、チャプタージャンプ、タイムサーチによりアナログ映像信号による映像コンテンツの出力制限区間から再生しようとした場合については、次に正常再生可能な再生区間の先頭から再生を始めても良い。その際に、映像コンテンツ再生装置１の使用者への確認用に「アナログ出力制限区間を再生しようとしたため、次のチャプターから再生を継続しました」等の補足説明用のメッセージを表示しても良い。【０１１３】
このように実施の形態２の映像コンテンツ再生装置１では、ＨＤ映像コンテンツのアナログ出力制限箇所に対して、そのＨＤ映像コンテンツのアナログ表示制限区間を自動的にスキップ（ジャンプ）させて再生動作を実施することで、ＨＤ映像コンテンツのアナログ出力制限箇所のアナログ映像が全く表示されないこと、すなわち、映像が出力されない無駄な映像区間が再生されるという不具合を防いで、映像を途切れることなく表示させることができる。また、同様に表示禁止区間を早送りすることで、迅速に表示可能区間に到達させることができる。
【図１】
0004629141.tif 000002
【図２】
0004629141.tif 000003
【図３】
0004629141.tif 000004
【図４】
0004629141.tif 000005
【図５】
0004629141.tif 000006
【図６】
0004629141.tif 000007
【図７】
0004629141.tif 000008
【図８】
0004629141.tif 000009
【図９】
0004629141.tif 000010
【図１０】
0004629141.tif 000011
【図１１】
0004629141.tif 000012
【図１２】
0004629141.tif 000013
【図１３】
0004629141.tif 000014
【図１４】
0004629141.tif 000015
【図１５】
0004629141.tif 000016
【図１６】
0004629141.tif 000017